(57)【要約】【課題】従来のシステムに比べて、患者サービス、薬剤師の業務支援、地域医療連携支援等に優れた服薬管理装置を提供することを目的とする。【解決手段】本発明の服薬管理装置を、患者端末から服薬管理装置に送信された、当該患者に関する個別患者情報を受信する個別患者情報受信手段と、前記服薬管理装置から前記患者端末に、前記患者を識別する患者識別情報を送信する患者識別情報送信手段と、前記薬局端末から前記服薬管理装置に送信された、前記患者識別情報と対応付けられた前記患者の個別調剤情報を受信する個別調剤情報受信手段と、前記患者識別情報と、前記個別患者情報と、前記個別調剤情報と、が対応付けられた電子健康手帳データベースを記憶する電子健康手帳記憶手段と、前記電子健康手帳データベースを構築して電子健康手帳記憶手段に記憶する電子健康手帳データベース構築手段と、で構成する。【選択図】図１
2015184765.tif 000002
【特許請求の範囲】
【請求項１】
患者又は患者の管理者に操作される患者端末と、薬局の薬剤師に操作される薬局端末と、にネットワークを介して接続される服薬管理装置であって、
前記患者端末から前記服薬管理装置に送信された、当該患者に関する個別患者情報を受信する個別患者情報受信手段と、
前記服薬管理装置から前記患者端末に、前記患者を識別する患者識別情報を送信する患者識別情報送信手段と、
前記薬局端末から前記服薬管理装置に送信された、前記患者識別情報と対応付けられた前記患者の個別調剤情報を受信する個別調剤情報受信手段と、
前記患者識別情報と、前記個別患者情報と、前記個別調剤情報と、が対応付けられた電子健康手帳データベースを記憶する電子健康手帳記憶手段と、
前記電子健康手帳データベースを構築して電子健康手帳記憶手段に記憶する電子健康手帳データベース構築手段と、
を備える服薬管理装置。
【請求項２】
前記患者識別情報が、１次元バーコード情報であることを特徴とする請求項１に記載の服薬管理装置。
【請求項３】
前記薬局端末が、レセプトコンピュータであることを特徴とする請求項１又は２に記載の服薬管理装置。
【請求項４】
前記服薬管理装置は、さらに、
前記服薬管理装置から前記患者端末に、前記個別調剤情報に基づき、服薬を促す服薬支援情報を送信する服薬支援情報送信手段と、
前記患者端末から前記服薬管理装置に送信された、服薬が完了したことを示す服薬完了情報を受信する服薬完了情報受信手段と、
を備え、
前記電子健康手帳データベース構築手段は、さらに、前記服薬完了情報が対応付けられた電子健康手帳データベースを構築する、
請求項１〜３のいずれか１項に記載の服薬管理装置。
【請求項５】
前記服薬管理装置は、さらに、
前記電子健康手帳データベースを参照して、前記服薬完了情報を累積的に示す服薬実績情報を作成して、前記患者端末に送信する服薬実績情報送信手段を備える、請求項４に記載の服薬管理装置。
【請求項６】
前記患者端末に、さらに、
医薬品情報データベースの医薬品情報を送信する医薬品情報表示手段を備える請求項５に記載の服薬管理装置。
【請求項７】
前記服薬管理装置は、さらに、薬剤師が携帯する薬剤師端末にネットワークを介して接続され、
前記服薬実績情報送信手段は、前記薬剤師端末に前記服薬実績情報を送信する、請求項５又は６に記載の服薬管理装置。
【請求項８】
前記服薬管理装置は、さらに、
前記薬剤師端末から送信された、個々の薬剤師の個別薬剤師情報を受信する個別薬剤師情報受信手段と、
前記個別薬剤師情報と、前記個別患者情報と、前記個別調剤情報と、が対応付けられた地域医療連携支援データベースを記憶する地域医療連携支援情報記憶手段と、
前記地域医療連携支援データベースを構築して地域医療連携支援情報記憶手段に記憶する地域医療連携支援データベース構築手段と、
前記地域医療連携支援データベースを参照して、前記薬剤師の業務予定を作成して前記薬剤師端末に送信する薬剤師業務予定送信手段と、
を備える、請求項６又は７に記載の服薬管理装置。
【請求項９】
前記地域医療連携支援データベースが、在宅、予製、長期処方対象、特殊薬品からなる群から選択される患者区分情報を含むことを特徴とする請求項８に記載の服薬管理装置。
【請求項１０】
前記服薬管理装置は、さらに、
近隣薬局の医薬品の店舗在庫情報を格納した店舗在庫情報データベースを備えることを特徴とする請求項８又は９に記載の服薬管理装置。
【請求項１１】
前記服薬管理装置は、さらに、
前記薬剤師端末から送信された、当該薬剤師の業務実績情報を受信する業務実績情報受信手段と、
前記業務実績情報を参照して、当該薬剤師の業務実績報告書を作成する業務実績報告書作成手段と、
を備えることを特徴とする請求項８〜１０のいずれか１項に記載の服薬管理装置。
【請求項１２】
前記服薬管理装置は、さらに、医師に操作される医師端末と、介護者に操作される介護者端末と、にネットワークを介して接続され、
さらに、前記医師端末及び前記介護者端末から送信された医師・介護者情報を受信する医師・介護者情報受信手段を備え、
前記地域医療連携支援データベース構築手段は、さらに、前記医師・介護者情報が対応付けられた前記地域医療連携支援データベースを構築する、
請求項８〜１１のいずれか１項に記載の服薬管理装置。
【請求項１３】
請求項１から１２のいずれか１項に記載の服薬管理装置と、当該服薬管理装置にネットワークを介して接続される、前記患者端末と、前記薬局端末と、を備える服薬管理システム。
【請求項１４】
患者又は患者の管理者に操作される患者端末と、薬局の薬剤師に操作される薬局端末と、にネットワークを介して接続される服薬管理装置が実行する服薬管理方法であって、
前記患者端末から前記服薬管理装置に送信された、当該患者に関する個別患者情報を受信する個別患者情報受信ステップと、
前記服薬管理装置から前記患者端末に、前記患者を識別する患者識別情報を送信する患者識別情報送信ステップと、
前記薬局端末から前記服薬管理装置に送信された、前記患者識別情報と対応付けられた前記患者の個別調剤情報を受信する個別調剤情報受信ステップと、
前記患者識別情報と、前記個別患者情報と、前記個別調剤情報と、が対応付けられた電子健康手帳データベースを構築して電子健康手帳記憶手段に記憶する電子健康手帳データベース構築ステップと、
を有する服薬管理方法。
【発明の詳細な説明】
【技術分野】
【０００１】
本発明は、患者又は患者の管理者に操作される患者端末と、薬局の薬剤師に操作される薬局端末と、にネットワークを介して接続される服薬管理装置に関する。
【背景技術】
【０００２】
従来から、薬局による服薬管理は、患者の携帯する所謂「お薬手帳」により行われてきている。一方、近年のＩＴ技術の発達により、ＩＴ技術を取り込んだ電子健康手帳を用いた服薬管理も行われるようになってきた。
例えば、電子メモリを組み込んだ「ＲＦＩＤタグ付き健康手帳」を用いた服薬管理（下記特許文献１参照）、ＱＲコード（登録商標）（患者識別情報）読取方式の服薬管理などが知られている。
【先行技術文献】
【特許文献】
【０００３】
【特許文献１】特開２０１１−０３４３２８号公報「ＲＦＩＤタグ付き健康手帳」
【発明の概要】
【発明が解決しようとする課題】
【０００４】
しかしながら、特許文献１に記載の電子メモリを組み込んだ健康手帳を用いた服薬管理では、服薬管理に必要な情報の一元的な管理がなされていないため、当該健康手帳がないと調剤情報が閲覧できない、登録が煩雑などの患者サービスの利便性における問題点があった。
ＱＲコード（登録商標）（患者識別情報）読取方式の服薬管理は、服薬管理に必要な情報の一元的な管理を可能にするものの、登録時の煩雑さが解消されない、等の患者サービスの利便性における問題点があった。
さらに、薬剤師の服薬管理業務、薬剤師・医師・介護士などの地域医療連携支援という点においても、更なる利用者の利便性における課題が指摘されていた。
以上のとおり、従来の服薬管理システムでは、患者登録、患者の自己管理（セルフメディケーション）、等の患者サービス、緊急時の服薬管理等の薬剤師の業務支援、地域医療連携支援等において、利用者の利便性に課題が指摘され、更なる向上が求められていた。
【０００５】
本発明の目的は、従来のシステムに比べて、患者登録、患者の自己管理（セルフメディケーション）、等の患者サービス、緊急時の服薬管理等の薬剤師の業務支援、地域医療連携支援等に等に優れた、服薬管理装置及び方法、並びに当該装置と、当該装置に接続された、患者又は患者の管理者に操作される患者端末と、薬局の薬剤師に操作される薬局端末と、を備える服薬管理システムを提供することにある。
【課題を解決するための手段】
【０００６】
すなわち、本発明に係る服薬管理装置及びシステムは、以下の通りである。
［１］
患者又は患者の管理者に操作される患者端末と、薬局の薬剤師に操作される薬局端末と、にネットワークを介して接続される服薬管理装置であって、
前記患者端末から前記服薬管理装置に送信された、当該患者に関する個別患者情報を受信する個別患者情報受信手段と、
前記服薬管理装置から前記患者端末に、前記患者を識別する患者識別情報を送信する患者識別情報送信手段と、
前記薬局端末から前記服薬管理装置に送信された、前記患者識別情報と対応付けられた前記患者の個別調剤情報を受信する個別調剤情報受信手段と、
前記患者識別情報と、前記個別患者情報と、前記個別調剤情報と、が対応付けられた電子健康手帳データベースを記憶する電子健康手帳記憶手段と、
前記電子健康手帳データベースを構築して電子健康手帳記憶手段に記憶する電子健康手帳データベース構築手段と、
を備える服薬管理装置。
［２］
前記患者識別情報が、１次元バーコード情報であることを特徴とする［１］に記載の服薬管理装置。
［３］
前記薬局端末が、レセプトコンピュータであることを特徴とする［１］又は［２］に記載の服薬管理装置。
［４］
前記服薬管理装置は、さらに、
前記服薬管理装置から前記患者端末に、前記個別調剤情報に基づき、服薬を促す服薬支援情報を送信する服薬支援情報送信手段と、
前記患者端末から前記服薬管理装置に送信された、服薬が完了したことを示す服薬完了情報を受信する服薬完了情報受信手段と、
を備え、
前記電子健康手帳データベース構築手段は、さらに、前記服薬完了情報が対応付けられた電子健康手帳データベースを構築する、
［１］〜［３］のいずれか１項に記載の服薬管理装置。
［５］
前記服薬管理装置は、さらに、
前記電子健康手帳データベースを参照して、前記服薬完了情報を累積的に示す服薬実績情報を作成して、前記患者端末に送信する服薬実績情報送信手段を備える、［４］に記載の服薬管理装置。
［６］
前記患者端末に、さらに、
医薬品情報データベースの医薬品情報を送信する医薬品情報送信手段を備える、［５］に記載の服薬管理装置。
［７］
前記服薬管理装置は、さらに、薬剤師が携帯する薬剤師端末にネットワークを介して接続され、
前記服薬実績情報送信手段は、前記薬剤師端末に前記服薬実績情報を送信する、［５］又は［６］に記載の服薬管理装置。
［８］
前記服薬管理装置は、さらに、
前記薬剤師端末から送信された、個々の薬剤師の個別薬剤師情報を受信する個別薬剤師情報受信手段と、
前記個別薬剤師情報と、前記個別患者情報と、前記個別調剤情報と、が対応付けられた地域医療連携支援データベースを記憶する地域医療連携支援情報記憶手段と、
前記地域医療連携支援データベースを構築して地域医療連携支援情報記憶手段に記憶する地域医療連携支援データベース構築手段と、
前記地域医療連携支援データベースを参照して、前記薬剤師の業務予定を作成して前記薬剤師端末に送信する薬剤師業務予定送信手段と、
を備える、［６］又は［７］に記載の服薬管理装置。
［９］
前記地域医療連携支援データベースが、在宅、予製、長期処方対象、特殊薬品からなる群から選択される患者区分情報を含むことを特徴とする［８］に記載の服薬管理装置。
［１０］
前記服薬管理装置は、さらに、
近隣薬局の医薬品の店舗在庫情報を格納した店舗在庫情報データベースを備えることを特徴とする［８］又は［９］に記載の服薬管理装置。
［１１］
前記服薬管理装置は、さらに、
前記薬剤師端末から送信された、当該薬剤師の業務実績情報を受信する業務実績情報受信手段と、
前記業務実績情報を参照して、当該薬剤師の業務実績報告書を作成する業務実績報告書作成手段と、
を備えることを特徴とする［８］〜［１０］のいずれか１項に記載の服薬管理装置。
［１２］
前記服薬管理装置は、さらに、医師に操作される医師端末と、介護者に操作される介護者端末と、にネットワークを介して接続され、
さらに、前記医師端末及び前記介護者端末から送信された医師・介護者情報を受信する医師・介護者情報受信手段を備え、
前記地域医療連携支援データベース構築手段は、さらに、前記医師・介護者情報が対応付けられた前記地域医療連携支援データベースを構築する、
［８］〜［１１］のいずれか１項に記載の服薬管理装置。
［１３］
［１］から［１２］のいずれか１項に記載の服薬管理装置と、当該服薬管理装置にネットワークを介して接続される、前記患者端末と、前記薬局端末と、を備える服薬管理システム。
［１４］
患者又は患者の管理者に操作される患者端末と、薬局の薬剤師に操作される薬局端末と、にネットワークを介して接続される服薬管理装置が実行する服薬管理方法であって、
前記患者端末から前記服薬管理装置に送信された、当該患者に関する個別患者情報を受信する個別患者情報受信ステップと、
前記服薬管理装置から前記患者端末に、前記患者を識別する患者識別情報を送信する患者識別情報送信ステップと、
前記薬局端末から前記服薬管理装置に送信された、前記患者識別情報と対応付けられた前記患者の個別調剤情報を受信する個別調剤情報受信ステップと、
前記患者識別情報と、前記個別患者情報と、前記個別調剤情報と、が対応付けられた電子健康手帳データベースを構築して電子健康手帳記憶手段に記憶する電子健康手帳データベース構築ステップと、
を有する服薬管理方法。
【発明の効果】
【０００７】
本発明の服薬管理システムによれば、従来のお薬手帳及び電子健康手帳を用いた服薬管理システムに比べて、さらに、家族管理機能向上、服薬の自己管理容易化、遠隔地からの服薬管理の容易化などの患者サービスの向上、緊急時対応の容易化、業務予定表作成など薬剤師業務の支援、訪問診療等の地域医療連携支援を図ることができる。
【図面の簡単な説明】
【０００８】
【図１】本発明の実施形態に係る、患者又は患者の管理者に操作される患者端末と、服薬管理装置と、薬局の薬剤師に操作される薬局端末と、を備える服薬管理システムにおける患者情報の登録の概要を示す図である。
【図２】本発明の実施形態に係る、患者又は患者の管理者に操作される患者端末と、服薬管理装置と、薬局の薬剤師に操作される薬局端末と、を備える服薬管理システムにおける患者服薬支援及び患者の服薬自己管理の概要を示す図である。
【図３】本発明の実施形態に係る、患者又は患者の管理者に操作される患者端末と、服薬管理装置と、薬局の薬剤師に操作される薬局端末と、さらに薬剤師端末と、を備える服薬管理システムにおける、薬剤師業務支援の概要を示す図である。
【図４】本発明の実施形態に係る、患者又は患者の管理者に操作される患者端末と、服薬管理装置と、薬局の薬剤師に操作される薬局端末と、薬剤師端末と、さらに医師端末と、介護者端末と、を備える服薬管理システムにおける地域医療連携支援の概要を示す図である。
【図５】本発明の実施形態に係る服薬管理装置の機能構成を示す図である。
【図６】本発明の実施形態に係る服薬管理方法のフローを示す図である。
【図７】本発明の実施形態に係る服薬管理方法のフローを示す図である。
【図８】本発明の実施形態に係る服薬管理方法のフローを示す図である。
【図９】本発明の実施形態に係る服薬管理方法のフローを示す図である。
【発明を実施するための形態】
【０００９】
以下に、本発明の実施形態を図面に基づいて詳細に説明する。
【００１０】
（本発明の実施形態に係る服薬管理装置による患者登録及び電子健康手帳データベースの構築）
図１は、本発明の実施形態に係る、患者又は患者の管理者に操作される患者端末と、服薬管理装置と、薬局の薬剤師に操作される薬局端末と、を備える服薬管理システムにおける患者情報の登録の概要を示す図である。
本発明の実施形態に係る服薬管理装置は、患者又は患者の管理者に操作される患者端末と、薬局の薬剤師に操作される薬局端末と、にネットワークを介して接続される服薬管理装置であって、
前記患者端末から前記服薬管理装置に送信された、当該患者に関する個別患者情報を受信する個別患者情報受信手段と、
前記服薬管理装置から前記患者端末に、前記患者を識別する患者識別情報を送信する患者識別情報送信手段と、
前記薬局端末から前記服薬管理装置に送信された、前記患者識別情報と対応付けられた前記患者の個別調剤情報を受信する個別調剤情報受信手段と、
前記患者識別情報と、前記個別患者情報と、前記個別調剤情報と、が対応付けられた電子健康手帳データベースを記憶する電子健康手帳記憶手段と、
前記電子健康手帳データベースを構築して電子健康手帳記憶手段に記憶する電子健康手帳データベース構築手段と、
を備えることを特徴とする。
【００１１】
本実施形態に係る服薬管理装置は、上記構成を有することにより、従来のお薬手帳及び電子健康手帳を用いた服薬管理システムに比べて、患者登録が容易、患者の家族などの患者の管理者も利用可能、どこの薬局でも容易に調剤可能等、さらに患者サービスの向上を図ることができる。
【００１２】
本実施形態に係る服薬管理装置は、図１に示すとおり、電子健康手帳データベースと、調剤情報データベースとを備える。
患者端末から送信された当該患者の個別患者情報を受信して、個別患者情報が前記電子健康手帳データベースに格納されると、前記服薬管理装置は患者識別情報を当該患者の患者端末に送信する。
当該患者が、処方箋及び患者識別情報を薬局に提示すると、当該患者識別情報に対応付けられた調剤情報が、薬局端末より前記服薬管理装置の調剤情報データベースに送信され、当該情報は前記服薬管理装置の電子健康手帳データベースに参照される。
前記服薬管理装置の電子健康手帳データベースに、前記患者識別情報と、前記個別患者情報と、前記個別調剤情報と、が対応付けられた電子健康手帳データベースが構築される。
【００１３】
本実施形態に係る服薬管理装置は、いわゆるクラウドコンピュータであることが好ましい。クラウドコンピュータにより、患者又は患者の管理者、薬局、薬剤師などのユーザーは、コンピュータによる処理やデータの格納をネットワーク経由で利用することができる。
前記ネットワークは、本実施形態に係る服薬管理装置と、各端末を接続するコンピュータネットワークであれば種々のネットワークを挙げることができる。好ましくは、インターネットである。前記患者識別情報は、患者を識別する電子情報であれば種々のものを用いることができる。前記患者識別情報は、患者が持ち運べるカードへの印刷や患者端末の画面に表示ができ、また薬局が薬局端末に安価な読み取り装置を接続することで最も簡単で確実な入力方法を実現できる点から、１次元バーコード情報であることが好ましい。また、前記薬局端末は、一般に、レセプト（診療報酬明細書）を作成するためのレセプトコンピュータ（「レセコン」ともいう。）であることが好ましい。
【００１４】
図５は、本発明の実施形態に係る服薬管理装置の機能構成を示す図である。
本実施形態に係る服薬管理装置１００は、図５に示すとおり、患者又は患者の管理者に操作される患者端末３００と、薬局の薬剤師に操作される薬局端末４００と、にネットワークを介して接続されている。
服薬管理装置１００は、個別患者情報受信手段１１０、患者識別情報送信手段１２０、個別調剤情報受信手段１３０、電子健康手帳記憶手段１４０、電子健康手帳データベース構築手段１５０を備える。
服薬管理装置１００は、患者端末３００から服薬管理装置１００に送信された、当該患者に関する個別患者情報を、個別患者情報受信手段１１０により受信する。
服薬管理装置１００は、服薬管理装置１００から患者端末３００に、患者を識別する患者識別情報を、患者識別情報送信手段１２０により送信する。
服薬管理装置１００は、薬局端末４００から服薬管理装置１００に送信された、患者識別情報と対応付けられた患者の個別調剤情報を、個別調剤情報受信手段１３０により受信する。
服薬管理装置１００の電子健康手帳記憶手段１４０は、患者識別情報と、個別患者情報と、個別調剤情報と、が対応付けられた電子健康手帳データベースを記憶する。
服薬管理装置１００の電子健康手帳データベース構築手段１５０は、電子健康手帳データベースを構築して電子健康手帳記憶手段１４０に記憶する。
【００１５】
患者端末３００は、患者又は患者の管理者に操作される。患者端末３００は、患者自身が操作可能な場合または患者自身の服薬管理が可能な場合には、患者自身によって操作されることが一般的である。しかし、例えば、患者が子供又は高齢者であって、患者自身による操作に困難が伴う場合又は患者自身による服薬管理に困難が伴う場合には、当該患者の管理者が操作することができる。この場合、前記患者の管理者は、一般的には患者の家族のいずれかである。家族登録により、患者の家族が当該患者端末を操作することもできる。
本実施形態における患者端末は、患者の管理者によっても操作が可能であるため、患者自身による服薬管理が困難を伴う場合に、患者の管理者が操作できることにより、患者の服薬管理を確実にすることができ、患者への服薬サービスを向上させることができる。また、子供や遠方の親の端末情報が患者の管理者にも見えるため、患者及び患者の管理者に安心感を与えることができる。
【００１６】
患者又は患者の管理者は、服薬管理装置１００から送信される当該患者に関する情報を受信する。患者端末３００は、ネットワークに接続されるコンピュータ端末であれば特に限定されないが、好ましくは、スマートフォン、携帯電話、パソコン及びタブレットからなる群から選択されるいずれかである。また、患者端末３００から前記服薬管理装置１００にネットワークを介して接続される患者端末３００は、単一でも複数の端末でもよい。例えば、自宅等の据え付けられたパソコンからも、移動時に携帯するスマートフォンからもアクセスすることができる。個別患者情報の服薬管理装置への送信は、自宅パソコンから落ち着いて行うことも可能である。
【００１７】
個別患者情報は、当該患者を識別するための当該患者に関する種々の情報が含まれ、例えば、患者の名前、性別、血液型、生年月日、住所、電話番号、保険者番号、被保険者番号、既往歴、アレルギー、副作用、予防接種記録、障害等を挙げることができる。
【００１８】
服薬管理装置１００から、患者を識別する患者識別情報を当該患者端末３００に受信した患者又は患者の管理者は、薬局で処方箋を提示して薬を受け取る際に、当該患者端末の患者識別情報を薬剤師に提示する。当該患者より、当該患者の処方箋及び患者識別情報の提示を受けた薬局の薬剤師は、薬局端末４００から、患者識別情報と対応付けられた患者の個別調剤情報を送信する。
【００１９】
本実施形態に係る服薬管理システムにおいて、調剤情報は、調剤情報自動送信により、薬局端末４００との連動によって自動的に服薬管理装置１００に取り込まれる。また、薬局端末４００と連動して自動的に服薬管理装置１００に送信される。したがって、患者又は患者の管理者は、薬局端末４００が服薬管理装置１００とネットワークで接続された薬局に処方箋を持っていくだけで、すぐに手元の患者端末３００で調剤情報を確認することができる。
【００２０】
患者端末３００においては、服薬管理装置１００にネットワークで接続される薬局端末４００が備えられた当該薬局（以下、「接続薬局」という。）を検索することができる。患者又は患者の管理者は、これにより接続薬局を知ることができる。薬を処方した薬局が、服薬管理装置１００にネットワークで接続される薬局端末４００が備えられた当該薬局でない薬局（以下、「非接続薬局」という。）の場合において、患者又は患者の管理者は、接続薬局において、非接続薬局で処方された薬を、調剤明細等に記載されたＱＲコード（登録商標）からリーダーで読み取ることもできる。読み取った調剤情報は、服薬管理装置１００に送信される。
【００２１】
以上のように、本実施形態に係る服薬管理装置１００による患者登録及び電子健康手帳データベースの構築により、ウェブから容易に利用者登録可能、処方箋だけで調剤情報が見られる、かかりつけ薬局化、家族登録及び家族管理機能、遠隔地からの管理、スマホ一つでセルフメディケーション、接続薬局の検索、非接続薬局のＱＲコード（登録商標）の調剤情報読取可能などの種々の患者サービスの向上がもたらされる。
【００２２】
（本発明の実施形態に係る服薬管理装置による患者の服薬支援）
図２は、本発明の実施形態に係る、患者又は患者の管理者に操作される患者端末と、服薬管理装置と、薬局の薬剤師に操作される薬局端末と、を備える服薬管理システムにおける患者服薬支援及び患者の服薬自己管理の概要を示す図である。
本実施形態に係る前記服薬管理装置は、さらに、
前記服薬管理装置から前記患者端末に、前記個別調剤情報に基づき、服薬を促す服薬支援情報を送信する服薬支援情報送信手段と、
前記患者端末から前記服薬管理装置に送信された、服薬が完了したことを示す服薬完了情報を受信する服薬完了情報受信手段と、
を備え、
前記電子健康手帳データベース構築手段は、さらに、前記服薬完了情報が対応付けられた電子健康手帳データベースを構築することを特徴とする。
【００２３】
本実施形態に係る前記服薬管理装置は、さらに、
前記電子健康手帳データベースを参照して、前記服薬完了情報を累積的に示す服薬実績情報を作成して、前記患者端末に送信する服薬実績情報送信手段を備えることを特徴とする。
【００２４】
本実施形態に係る服薬管理装置は、上記構成を有することにより、従来のお薬手帳及び電子健康手帳を用いた服薬管理システムに比べて、服薬実績情報が見られる、遠隔地からの患者管理が可能、服薬の自己管理（セルフメディケーション）が可能、服薬支援情報が得られる等、さらに患者サービスの向上を図ることができる。
【００２５】
本実施形態に係る服薬管理装置は、図２に示すとおり、電子健康手帳データベースと、調剤情報データベースとを備える。
前記服薬管理装置は、さらに、前記服薬管理装置から前記患者端末に、前記個別調剤情報に基づき、服薬を促す服薬支援情報を送信する。当該患者は、前記服薬支援情報に基づいて服薬し、前記患者端末から前記服薬管理装置に、服薬が完了したことを示す服薬完了情報を送信し、この服薬完了情報を前記服薬管理装置が受信する。
前記服薬管理装置は、さらに、前記服薬完了情報が対応付けられた電子健康手帳データベースを構築する。
また、前記服薬管理装置は、さらに、前記電子健康手帳データベースを参照して、前記服薬完了情報を累積的に示す服薬実績情報を作成して、前記患者端末に服薬実績情を送信する。
【００２６】
また、本実施形態に係る服薬管理装置１００は、図５に示すとおり、患者又は患者の管理者に操作される患者端末３００と、薬局の薬剤師に操作される薬局端末４００と、にネットワークを介して接続されている。
服薬管理装置１００は、さらに、服薬支援情報送信手段１６０、服薬完了情報受信手段１７０、服薬実績情報送信手段１８０を備える。
服薬管理装置１００は、服薬支援情報送信手段１６０により、個別調剤情報に基づき、服薬支援情報を患者端末３００に送信する。
服薬管理装置１００は、患者端末３００から送信された服薬完了情報を、服薬完了情報受信手段１７０により受信する。
服薬管理装置１００の電子健康手帳データベース構築手段１５０は、服薬完了情報が対応付けられた電子健康手帳データベースを構築する。
服薬管理装置１００の服薬実績情報送信手段１８０は、電子健康手帳データベースを参照して、服薬完了情報を累積的に示す服薬実績情報を作成して、前記患者端末３００に服薬実績情報を送信する。
【００２７】
服薬管理装置１００は、患者端末３００に、さらに、医薬品情報データベースの医薬品情報を送信する医薬品情報送信手段１９０を備える、ことを特徴とする。患者又は患者の管理者は、服薬支援情報又は服薬実績情報を閲覧する場合に、さらに服薬管理装置１００から送信される医薬品情報を参照することができる。また、患者又は患者の管理者は、処方箋やお薬手帳が手元になくても、医薬品情報を検索することができる。医薬品情報には、医薬品の一般名、ブランド名、用法、用量、形状、写真、当該医薬品のジェネリック医薬品、既往歴、アレルギー、副作用情報、予防接種録情報などが含まれる。医薬品情報としては、例えば、メディサーブＩＩ（登録商標：株式会社メディカルフロント製）を挙げることができる。
【００２８】
服薬支援情報は、患者に服薬を支援する服薬支援メールであることが好ましい。また、服薬支援情報が、服薬する薬の種類、服薬する日時、用法、用量などを含む。また、前記服薬完了情報は、服薬した薬の種類、服薬した日時、用法、用量、備考（薬剤師のコメント）などを含む。
【００２９】
本実施形態に係る前記服薬管理装置により、服薬における自己管理を容易にすることができる。また、服薬管理に際し、医薬品情報を参照できるため、医薬品の服用上の注意、医薬品の写真、ジェネリック医薬品との薬価差などの医薬品情報を参照することができるため、患者サービスの向上がさらに図られる。
【００３０】
（本発明の実施形態に係る服薬管理装置による薬剤師の業務支援）
図３は、本発明の実施形態に係る、患者又は患者の管理者に操作される患者端末と、服薬管理装置と、薬局の薬剤師に操作される薬局端末と、さらに薬剤師端末と、を備える服薬管理システムにおける、薬剤師業務支援の概要を示す図である。
本実施形態に係る前記服薬管理装置は、さらに、薬剤師が携帯する薬剤師端末にネットワークを介して接続され、
前記服薬実績情報送信手段は、前記薬剤師端末に前記服薬実績情報を送信する、ことを特徴とする。
また、本実施形態に係る前記服薬管理装置は、さらに、
薬剤師端末から送信された、個々の薬剤師の個別薬剤師情報を受信する個別薬剤師情報受信手段と、
前記個別薬剤師情報と、前記個別患者情報と、前記個別調剤情報と、が対応付けられた地域医療連携支援データベースを記憶する地域医療連携支援情報記憶手段と、
前記地域医療連携支援データベースを構築して地域医療連携支援情報記憶手段に記憶する地域医療連携支援データベース構築手段と、
前記地域医療連携支援データベースを参照して、前記薬剤師の業務予定を作成して前記薬剤師端末に送信する薬剤師業務予定送信手段と、
を備える、ことを特徴とする。
また、本実施形態に係る前記服薬管理装置は、さらに、前記薬剤師端末から送信された、当該薬剤師の業務実績情報を受信する業務実績情報受信手段と、前記業務実績情報を参照して、当該薬剤師の業務実績報告書を作成する業務実績報告書作成手段と、を備えることを特徴とする。
【００３１】
本実施形態に係る服薬管理装置は、上記構成を有することにより、災害や緊急時対応の容易化、患者調剤情報、患者服薬実績情報、医薬品情報、薬剤師業務予定情報の容易取得など、薬剤師の業務支援の向上を図ることができる。特に、薬剤師の在宅支援において、薬剤師端末による対応の容易化、服薬指導コンテンツの容易取得による在宅服薬指導業務の効率向上を図ることができる。
【００３２】
本実施形態に係る服薬管理装置は、図３に示すとおり、電子健康手帳データベースと、調剤情報データベースとを備える。
本実施形態に係る前記服薬管理装置は、さらに、薬剤師が携帯する薬剤師端末にネットワークを介して接続され、前記服薬管理装置は、前記薬剤師端末に、さらに前記服薬実績情報を送信する。
本実施形態に係る服薬管理装置は、図４に示すとおり、電子健康手帳データベースと、調剤情報データベースと、地域医療連携支援データベースを備える。
また、本実施形態に係る前記服薬管理装置は、さらに、薬剤師端末から送信された、個々の薬剤師の個別薬剤師情報を受信する。前記個別薬剤師情報と、前記個別患者情報と、前記個別調剤情報と、が対応付けられた地域医療連携支援データベースを記憶する。前記地域医療連携支援データベースを構築して地域医療連携支援情報記憶手段に記憶する。前記地域医療連携支援データベースを参照して、前記薬剤師の業務予定を作成して前記薬剤師端末に送信する。
また、本実施形態に係る前記服薬管理装置は、さらに、前記薬剤師端末から送信された、当該薬剤師の業務実績情報を受信する。前記業務実績情報を参照して、当該薬剤師の業務実績報告書を作成する。
【００３３】
また、本実施形態に係る服薬管理装置１００は、図５に示すとおり、患者端末３００と、薬局端末４００と、さらに、薬剤師端末５００と、にネットワークを介して接続されている。
服薬管理装置１００は、さらに、個別薬剤師情報受信手段２００、地域医療連携支援情報記憶手段２１０、地域医療連携支援データベース構築手段２２０、薬剤師業務予定送信手段２３０と、業務実績情報受信手段２４０、業務実績報告書作成手段２５０と、を備える。
服薬管理装置１００は、個別薬剤師情報受信手段２００により、薬剤師端末から送信された、個々の薬剤師の個別薬剤師情報を受信する。
服薬管理装置１００は、地域医療連携支援情報記憶手段２１０により、個別薬剤師情報と、個別患者情報と、個別調剤情報と、が対応付けられた地域医療連携支援データベースを記憶する。
服薬管理装置１００は、地域医療連携支援データベース構築手段２２０により、地域医療連携支援データベースを構築して地域医療連携支援情報記憶手段２１０に記憶する。
服薬管理装置１００は、薬剤師業務予定送信手段２３０により、地域医療連携支援データベースを参照して、薬剤師の業務予定を作成して薬剤師端末５００に送信する。
服薬管理装置１００は、業務実績情報受信手段２４０により、薬剤師端末５００から送信された、当該薬剤師の業務実績情報を受信する。
服薬管理装置１００は、業務実績報告書作成手段２５０により、業務実績情報を参照して、当該薬剤師の業務実績報告書を作成する。
【００３４】
地域医療連携支援データベースは、在宅、予製、長期処方対象、特殊薬品からなる群から選択される患者区分情報を含むことを特徴とする。患者区分情報により、より精密で効率的な薬剤師の業務予定を作成でき、薬剤師の業務支援をより効果率的にすることができる。
【００３５】
服薬管理装置１００は、さらに、近隣薬局の店舗在庫情報を格納した店舗在庫情報データベースを備えることを特徴とする。店舗在庫情報データベースを参照することにより、医薬品のピッキングミス防止、在庫適正化、適正発注を図ることができる。前記医薬品の店舗在庫情報としては、例えば、メディフロンティア（登録商標：株式会社メディカルフロント製）を挙げることができる。
【００３６】
（本発明の実施形態に係る服薬管理装置による地域医療連携支援）
図４は、本発明の実施形態に係る、患者又は患者の管理者に操作される患者端末と、服薬管理装置と、薬局の薬剤師に操作される薬局端末と、薬剤師端末と、さらに医師端末と、介護者端末と、を備える服薬管理システムにおける地域医療連携支援の概要を示す図である。
本実施形態に係る前記服薬管理装置は、さらに、医師に操作される医師端末と、介護者に操作される介護者端末と、にネットワークを介して接続され、
さらに、医師端末及び介護者端末から送信された医師・介護者情報を受信する医師・介護者情報受信手段を備え、
前記地域医療連携支援データベース構築手段は、さらに、前記医師・介護者情報が対応付けられた前記地域医療連携支援データベースを構築する、ことを特徴とする。
【００３７】
本実施形態に係る服薬管理装置は、図４に示すとおり、電子健康手帳データベースと、調剤情報データベースと、地域医療連携支援データベースを備える。
本実施形態に係る前記服薬管理装置は、さらに、医師が携帯する薬剤師端末及びが介護者が携帯する薬剤師端末にネットワークを介して接続される。
前記服薬管理装置は、前記医師端末及び前記介護者端末から送信された医師・介護者情報を受信する。さらに、前記医師・介護者情報が対応付けられた前記地域医療連携支援データベースを構築する。
【００３８】
また、本実施形態に係る服薬管理装置１００は、図５に示すとおり、患者端末３００と、薬局端末４００と、薬剤師端末５００と、さらに、医師端末６００と、介護者端末７００と、にネットワークを介して接続されている。
前記服薬管理装置１００は、さらに、医師・介護者情報受信手段２６０を備える。
【００３９】
服薬管理装置１００は、医師端末６００及び介護者端末７００から送信された医師・介護者情報を、医師・介護者情報受信手段２６０により受信する。
服薬管理装置１００の地域医療連携支援データベース構築手段２２０は、さらに、医師・介護者情報が対応付けられた地域医療連携支援データベースを構築して地域医療連携支援情報記憶手段２１０に記憶する。
【００４０】
本実施形態に係る服薬管理装置１００により、地域医療チームケアへの貢献、訪問診療の支援を図ることができる。特に、医師・看護婦・ヘルパー・ケアマネージャーなどによるプライマリーケア支援ツールとしての機能を果たすことできる。
【００４１】
（本発明の実施形態に係る服薬管理システム）
本発明の実施形態に係る服薬管理システムは、服薬管理装置１００と、当該服薬管理装置１００にネットワークを介して接続される、患者又は患者の管理者に操作される患者端末３００と、薬局の薬剤師に操作される薬局端末４００と、を備えることを特徴とする。服薬管理システムは、さらに、薬剤師端末５００と、医師端末６００と、介護者端末７００を備えることができる。
【００４２】
上記の本システムの機能構成は、あくまで一例であり、一つの機能ブロック（データベース及び機能処理部）を分割したり、複数の機能ブロックをまとめて一つの機能ブロックとして構成したりしてもよい。各機能処理部は、コンピュータ装置に内蔵されたＣＰＵ（Central  Processing  Unit）が、ＲＯＭ（Read  Only  Memory）又はハードディスク等の記憶装置に格納されたコンピュータ・プログラムを読み出し、ＣＰＵにより実行されたコンピュータ・プログラムによって実現される。すなわち、各機能処理部は、このコンピュータ・プログラムが、記憶装置に格納されたデータベースやメモリ上の記憶領域からテーブル等の必要なデータを読み書きし、場合によっては、関連するハードウェア（例えば、入出力装置、表示装置、通信インターフェース装置）を制御することによって実現される。また、本発明の実施形態におけるデータベースは、商用データベースであってよいが、単なるテーブルやファイルの集合体をも意味し、データベースの内部構造自体は問わないものとする。なお、データベースも１つのサーバ（データベースサーバ）と考えてもよい。
【００４３】
（本発明の実施形態に係る服薬管理方法）
図６乃至９は、本発明の実施形態に係る服薬管理方法のフローを示す図である。
本実施形態に係る服薬管理方法は、患者又は患者の管理者に操作される患者端末３００と、薬局の薬剤師に操作される薬局端末４００と、にネットワークを介して接続される服薬管理装置１００が実行する方法である。
【００４４】
ステップＳ１において、個別患者情報受信手段１１０は、患者端末３００から服薬管理装置１００に送信された、当該患者に関する個別患者情報を受信する。
ステップＳ２において、患者識別情報送信手段１２０は、服薬管理装置１００から患者端末３００に、患者を識別する患者識別情報を送信する。
ステップＳ３において、個別調剤情報受信手段１３０は、薬局端末４００から服薬管理装置１００に送信された、患者識別情報と対応付けられた患者の個別調剤情報を受信する。
ステップＳ４において、電子健康手帳データベース構築手段１５０は、患者識別情報と、個別患者情報と、個別調剤情報と、が対応付けられた電子健康手帳データベースを構築して電子健康手帳記憶手段１４０に記憶する。
【００４５】
患者登録及び電子健康手帳データベースの構築において、本実施形態に係る服薬管理装置１００が実行する服薬管理方法は、図６に示すとおり、個別患者情報受信ステップと、患者識別情報送信ステップと、個別調剤情報受信ステップと、電子健康手帳データベース構築ステップと、を有する。
【００４６】
本実施形態に係る患者の服薬支援方法は、服薬管理装置１００が実行する方法である。
ステップＳ４において、電子健康手帳データベース構築手段１５０は、電子健康手帳データベースを構築する。
ステップＳ５において、服薬支援情報送信手段１６０は、服薬管理装置１００から患者端末３００に、個別調剤情報に基づき、服薬を促す服薬支援情報を送信する。
ステップＳ６において、服薬完了情報受信手段１７０は、患者端末３００から、当該患者が服薬支援情報に基づいて服薬し、服薬が完了したことを示す服薬完了情報を受信する。
ステップＳ４’において、電子健康手帳データベース構築手段１５０は、服薬完了情報が対応付けられた電子健康手帳データベースを構築する。
ステップＳ７において、服薬実績情報送信手段１８０は、電子健康手帳データベースを参照して、服薬完了情報を累積的に示す服薬実績情報を作成して、患者端末３００に服薬実績情を送信する。
【００４７】
本実施形態に係る薬剤師の業務支援方法は、服薬管理装置１００が実行する方法である。
ステップＳ４’において、電子健康手帳データベース構築手段１５０は、服薬完了情報が対応付けられた電子健康手帳データベースを構築する。
ステップＳ７において、服薬実績情報送信手段１８０は、服薬管理装置１００にネットワークを介して接続された薬剤師が携帯する薬剤師端末５００に、服薬実績情報を送信する。
ステップＳ８において、個別薬剤師情報受信手段２００は、薬剤師端末５００から送信された、個々の薬剤師の個別薬剤師情報を受信する。
ステップＳ９において、地域医療連携支援データベース構築手段２２０は、個別薬剤師情報と、個別患者情報と、個別調剤情報と、が対応付けられた地域医療連携支援データベースを構築し、地域医療連携支援情報記憶手段２１０に記憶する。
ステップＳ１０において、薬剤師業務予定送信手段２３０は、地域医療連携支援データベースを参照して、薬剤師の業務予定を作成して薬剤師端末５００に送信する。
ステップＳ１１において、業務実績情報受信手段２４０は、薬剤師端末５００から送信された、当該薬剤師の業務実績情報を受信する。
ステップＳ１２において、業務実績報告書作成手段２５０は、業務実績情報を参照して、当該薬剤師の業務実績報告書を作成する。
【００４８】
本実施形態に係る地域医療連携支援方法は、服薬管理装置１００が実行する方法である。
ステップＳ９において、地域医療連携支援データベース構築手段２２０は、地域医療連携支援データベースを構築する。
ステップＳ１３において、医師・介護者情報受信手段２６０は、医師端末６００及び介護者端末７００から送信された医師・介護者情報を受信する。
ステップＳ９’において、地域医療連携支援データベース構築手段２２０は、医師・介護者情報が対応付けられた地域医療連携支援データベースを構築する。
【００４９】
以上、実施形態を用いて本発明を説明したが、本発明の技術的範囲は上記実施形態に記載の範囲には限定されないことは言うまでもない。上記実施形態に、多様な変更または改良を加えることが可能であることが当業者に明らかである。またその様な変更または改良を加えた形態も本発明の技術的範囲に含まれ得ることが、特許請求の範囲の記載から明らかである。
【符号の説明】
【００５０】
１００    服薬管理装置
１１０    個別患者情報受信手段
１２０    患者識別情報送信手段
１３０    個別調剤情報受信手段
１４０    電子健康手帳記憶手段
１５０    電子健康手帳データベース構築手段
１６０    服薬支援情報送信手段
１７０    服薬完了情報受信手段
１８０    服薬実績情報送信手段
１９０    医薬品情報送信手段
２００    個別薬剤師情報受信手段
２１０    地域医療連携支援情報記憶手段
２２０    地域医療連携支援データベース構築手段
２３０    薬剤師業務予定送信手段
２４０    業務実績情報受信手段
２５０    業務実績報告書作成手段
２６０    医師・介護者情報受信手段
３００    患者端末
４００    薬局端末
５００    薬剤師端末
６００    医師端末
７００    介護者端末
【図１】
2015184765.tif 000003
【図２】
2015184765.tif 000004
【図３】
2015184765.tif 000005
【図４】
2015184765.tif 000006
【図５】
2015184765.tif 000007
【図６】
2015184765.tif 000008
【図７】
2015184765.tif 000009
【図８】
2015184765.tif 000010
【図９】
2015184765.tif 000011